(57)【要約】【課題】  複数枚のシート材を１枚ずつ所定の速度で搬送するシート材搬送装置において、シート材の搬送の失敗回数を減らしつつ、高速でシート材を搬送できるようにする。【解決手段】  ファクシミリ装置において、ＣＰＵは、検知部により検知された搬送状態に基づいて、記録用紙が正常に搬送されたか否かを判断し（Ｓ１４０）、記録用紙が正常に搬送されたと判断すると（Ｓ１４０：ＹＥＳ）、現在の搬送速度に基づいて、搬送速度が最高速度に至るまでは段階的に搬送速度を速く設定する（Ｓ１６０、Ｓ１８０）。従って、このようなファクシミリ装置によれば、ある搬送速度による記録用紙の搬送が正常に行なわれた場合に、給紙ローラにより搬送可能な最高速度に搬送速度を設定するものと比較して、記録用紙の搬送の失敗回数を減らすことができる。また、可能な限り記録用紙を高速で搬送することができる。【選択図】  図４
2005324455.tif 000002
【特許請求の範囲】
【請求項１】
複数枚のシート材を１枚ずつ順次搬送する搬送手段と、
前記搬送手段により搬送された各シート材の搬送状態を検知する検知手段と、
前記検知手段により検知された各シート材の搬送状態に基づいて、シート材を搬送手段により搬送する際の搬送速度を設定する搬送速度設定手段と、
を備えたシート材搬送装置であって、
前記搬送速度設定手段は、前記検知手段により検知された搬送状態に基づいて、前記シート材が正常に搬送されたか否かを判断し、前記シート材が正常に搬送されたと判断すると、現在の搬送速度に基づいて、搬送速度が最高速度に至るまでは段階的に搬送速度を速く設定すること
を特徴とするシート材搬送装置。
【請求項２】
前記搬送手段によりシート材が連続して正常に搬送された回数を表す正常搬送回数データを記憶するための第１回数記憶手段を備え、
前記搬送速度設定手段は、前記シート材が正常に搬送されたか否かの判断結果に基づいて、前記第１回数記憶手段に記憶された正常搬送回数データを更新し、該正常搬送回数データが、予め設定された第１設定回数になった場合に、前記搬送手段により次のシート材を搬送する際の搬送速度を、現在の搬送速度よりも速く設定すること
を特徴とする請求項１に記載のシート材搬送装置。
【請求項３】
前記搬送速度設定手段は、前記シート材が正常に搬送されていないと判断すると、現在の搬送速度に基づいて、搬送速度が最低搬送速度に至るまでは段階的に搬送速度を遅く設定することを特徴とする請求項１または請求項２に記載のシート材搬送装置。
【請求項４】
前記搬送手段によりシート材が連続して異常な搬送をされた回数を表す異常搬送回数データを記憶するための第２回数記憶手段を備え、
前記搬送速度設定手段は、前記シート材が正常に搬送されたか否かの判断結果に基づいて、前記第２回数記憶手段に記憶された異常搬送回数データを更新し、該異常搬送回数データが、予め設定された第２設定回数になった場合に、前記搬送手段によりシート材を搬送する際の搬送速度を、現在の搬送速度より遅く設定することを特徴とする請求項３に記載のシート材搬送装置。
【請求項５】
前記搬送速度設定手段が、前記搬送速度をより遅く設定する際に、現在の搬送速度が最低搬送速度である場合に、シート材の搬送エラーを報知する報知手段を備えたこと
を特徴とする請求項３または請求項４に記載のシート材搬送装置。
【請求項６】
前記搬送手段がシート材を搬送する際の搬送速度を段階的に複数記憶する搬送速度記憶手段を備え、
前記搬送速度設定手段は、前記搬送速度記憶手段に記憶された複数の搬送速度の中から、前記搬送手段によりシート材を搬送する際の搬送速度を選択して設定すること
を特徴とする請求項１〜請求項５の何れかに記載のシート材搬送装置。
【請求項７】
前記搬送速度設定手段は、前記搬送速度記憶手段に記憶されている複数の搬送速度の中から、シート材を搬送する際の搬送速度を選択する際に、予め設定された段階数だけ異なる搬送速度を選択することを特徴とする請求項６に記載のシート材搬送装置。
【請求項８】
前記搬送速度記憶手段に記憶される複数の搬送速度、前記第１および第２設定回数、そして前記搬送速度設定手段がシート材を搬送する際に選択可能な搬送速度の段回数のうち、少なくとも１つを設定可能な設定手段を備えたことを特徴とする請求項５〜請求項７の何れかに記載のシート材搬送装置。
【請求項９】
前記各記憶手段のうちの少なくとも１つは、不揮発性の記憶手段であることを特徴とする請求項１〜請求項８の何れかに記載のシート材搬送装置。
【請求項１０】
前記各記憶手段のうちの少なくとも１つは、揮発性の記憶手段であることを特徴とする請求項１〜請求項８の何れかに記載のシート材搬送装置。
【請求項１１】
１枚のシート材を搬送する搬送工程と、
前記搬送工程にて搬送されたシート材の搬送状態を検知する検知工程と、
前記検知工程にて検知されたシート材の搬送状態に基づいて、次にシート材を搬送する際の搬送速度を設定する搬送速度設定工程と、
を順次行なうシート材搬送方法であって、
前記搬送速度設定工程では、前記検知工程にて検知された搬送状態に基づいて、前記シート材が正常に搬送されたか否かを判断し、前記シート材が正常に搬送されたと判断すると、現在の搬送速度に基づいて、搬送速度が最高速度に至るまでは段階的に搬送速度を速く設定すること
を特徴とするシート材搬送方法。
【請求項１２】
前記搬送速度設定工程では、前記シート材が正常に搬送されたか否かの判断結果に基づいて、前記搬送工程にてシート材が連続して正常に搬送された回数を表す正常搬送回数データを更新して第１記憶手段に記憶し、該正常搬送回数データが、予め設定された第１設定回数になった場合に、前記搬送手段により次のシート材を搬送する際の搬送速度を、現在の搬送速度よりも速く設定すること
を特徴とする請求項１１に記載のシート材搬送方法。
【請求項１３】
前記搬送速度設定工程では、前記シート材が正常に搬送されていないと判断すると、現在の搬送速度に基づいて、搬送速度が最低搬送速度に至るまでは段階的に搬送速度を遅く設定することを特徴とする請求項１１または請求項１２に記載のシート材搬送方法。
【請求項１４】
前記搬送速度設定工程では、前記シート材が正常に搬送されたか否かの判断結果に基づいて、前記搬送工程にてシート材が連続して異常な搬送をされた回数を表す異常搬送回数データを更新して第２回数記憶手段に記憶し、該異常搬送回数データが、予め設定された第２設定回数になった場合に、前記搬送手段によりシート材を搬送する際の搬送速度を、現在の搬送速度より遅く設定することを特徴とする請求項１３に記載のシート材搬送方法。
【請求項１５】
前記搬送速度設定工程にて、前記搬送速度をより遅く設定する際に、現在の搬送速度が最低搬送速度である場合に、シート材の搬送エラーを報知する報知工程を備えたこと
を特徴とする請求項１３または請求項１４に記載のシート材搬送方法。
【請求項１６】
前記搬送速度設定工程では、前記搬送工程にてシート材を搬送する際の搬送速度を段階的に複数記憶する搬送速度記憶手段に記憶された複数の搬送速度の中から、前記搬送手段によりシート材を搬送する際の搬送速度を選択して設定すること
を特徴とする請求項１１〜請求項１５の何れかに記載のシート材搬送方法。
【請求項１７】
前記搬送速度設定工程では、前記搬送速度記憶手段に記憶されている複数の搬送速度の中から、シート材を搬送する際の搬送速度を選択する際に、予め設定された段階数だけ異なる搬送速度を選択することを特徴とする請求項１６に記載のシート材搬送方法。
【請求項１８】
前記搬送工程よりも前に、前記搬送速度記憶手段に記憶される複数の搬送速度、前記第１および第２設定回数、そして前記搬送速度設定工程にてシート材を搬送する際に選択可能な搬送速度の段回数のうち、少なくとも１つを設定する設定工程を備えたことを特徴とする請求項１５〜請求項１７の何れかに記載のシート材搬送方法。
【請求項１９】
前記各記憶手段のうちの少なくとも１つは、不揮発性の記憶手段であることを特徴とする請求項１１〜請求項１８の何れかに記載のシート材搬送方法。
【請求項２０】
前記各記憶手段のうちの少なくとも１つは、揮発性の記憶手段であることを特徴とする請求項１１〜請求項１８の何れかに記載のシート材搬送方法。
【発明の詳細な説明】
【技術分野】
【０００１】
本発明は、複数枚のシート材を１枚ずつ所定の速度で搬送するシート材搬送装置、およびシート材搬送方法に関する。
【背景技術】
【０００２】
従来より、画像形成装置内等にて用紙の給紙を行なう給紙装置において、速い給紙速度で給紙を行ない、給紙に失敗した場合には、遅い給紙速度で再度給紙を行ない、以後、遅い給紙速度で給紙を行なうものが知られている（例えば、特許文献１参照）。
【０００３】
また、多数の給紙速度にて用紙を搬送可能であり、用紙を給紙するときには最高速度にて用紙の給紙を開始し、給紙を失敗する度に徐々に給紙速度を落として給紙を行なうものが知られている。この装置においては、用紙の給紙に成功したとき、およびジャム状態（給紙の失敗のうち、用紙が詰まってしまった状態）が解除されたときに、給紙速度を最高速度に戻すよう設定されている（例えば、特許文献２参照）。
【特許文献１】特許３４４１８４５号公報
【特許文献２】特開２００３−３１２８６７号公報
【発明の開示】
【発明が解決しようとする課題】
【０００４】
しかしながら、特許文献１に記載の装置においては、たまたま給紙し難い用紙を給紙する際に給紙を失敗し、その後、給紙し易い用紙を給紙する場合であっても、給紙速度の設定は低速のままであるため、給紙に時間が掛かるという問題点があった。
【０００５】
特許文献２に記載の装置においては、給紙が終了する度に給紙速度を最高速度に戻すので、上記の問題点は解決できる。しかし、例えば、給紙を行なうためのローラが磨耗し、最高速度では給紙できないような場合には、適切な給紙速度になるまで失敗を繰り返すので、給紙の失敗回数が多くなるという問題点があった。
【０００６】
このような問題点は、用紙を給紙する給紙装置に限らず、シート材を搬送する搬送装置であれば同様に起こり得るものと考えられる。
そこで、このような問題点を鑑み、シート材搬送装置において、シート材の搬送の失敗回数を減らしつつ、高速でシート材を搬送できるようにすることを本発明の目的とする。
【課題を解決するための手段】
【０００７】
かかる目的を達成するために成された請求項１に記載の発明は、複数枚のシート材を１枚ずつ順次搬送する搬送手段と、前記搬送手段により搬送された各シート材の搬送状態を検知する検知手段と、前記検知手段により検知された各シート材の搬送状態に基づいて、シート材を搬送手段により搬送する際の搬送速度を設定する搬送速度設定手段と、を備えたシート材搬送装置であって、前記搬送速度設定手段は、前記検知手段により検知された搬送状態に基づいて、前記シート材が正常に搬送されたか否かを判断し、前記シート材が正常に搬送されたと判断すると、現在の搬送速度に基づいて、搬送速度が最高速度に至るまでは段階的に搬送速度を速く設定すること、を特徴としている。
【０００８】
即ち、搬送速度設定手段は、シート材を搬送するときに選択した搬送速度でシート材を搬送し、その搬送速度にてシート材が正常に搬送された場合には、搬送速度が最高速度に至るまで、順次、搬送速度を段階的に速く設定する。
【０００９】
従って、このようなシート材搬送装置によれば、ある搬送速度によるシート材の搬送が正常に行なわれる度に、段階的に搬送速度を速く設定するので、シート材の搬送が正常に行なわれるとすぐに搬送速度を最高速度に設定するものと比較して、次のシート材を搬送する際の失敗回数を減らすことができる。
【００１０】
また、シート材の搬送が正常に行なわれる度に、シート材の搬送速度が段階的に高速になるよう設定されるので、可能な限りシート材を高速で搬送することができる。
ところで、請求項１に記載のシート材搬送装置において、搬送手段によりシート材が連続して正常に搬送された回数を表す正常搬送回数データを記憶するための第１回数記憶手段を備えている場合には、請求項２に記載のように、搬送速度設定手段は、シート材が正常に搬送されたか否かの判断結果に基づいて、第１回数記憶手段に記憶された正常搬送回数データを更新し、正常搬送回数データが、予め設定された第１設定回数になった場合に、搬送手段により次のシート材を搬送する際の搬送速度を、現在の搬送速度よりも速く設定することが望ましい。
【００１１】
このようなシート材搬送装置によれば、シート材の搬送が偶然成功した場合であっても、第１設定回数だけ連続して搬送に成功しない限りは、搬送速度を速くしないようにするので、より確実にシート材を搬送することができる。
【００１２】
さらに、搬送速度設定手段は、請求項３に記載のように、シート材が正常に搬送されていないと判断すると、現在の搬送速度に基づいて、搬送速度が最低搬送速度に至るまでは段階的に搬送速度を遅く設定することが望ましい。
【００１３】
このようなシート材搬送装置によれば、シート材が異常な搬送をされた場合に、シート材を搬送可能な速度まで搬送手段による搬送速度を遅くするので、確実にシート材を搬送することができる。
【００１４】
次に、請求項３に記載のシート材搬送装置において、搬送手段によりシート材が連続して異常な搬送をされた回数を表す異常搬送回数データを記憶するための第２回数記憶手段を備えている場合には、搬送速度設定手段は、請求項４に記載のように、シート材が正常に搬送されたか否かの判断結果に基づいて、第２回数記憶手段に記憶された異常搬送回数データを更新し、異常搬送回数データが、予め設定された第２設定回数になった場合に、搬送手段によりシート材を搬送する際の搬送速度を、現在の搬送速度より遅く設定することが好ましい。
【００１５】
このようなシート材搬送装置によれば、シート材の搬送に偶然失敗した場合であっても、第２設定回数だけ連続して搬送に失敗しない限りは搬送速度を遅くしないようにするので、よりシート材をより高速で搬送することができる。
【００１６】
また、請求項３または請求項４に記載のシート材搬送装置においては、請求項５に記載のように、搬送速度設定手段が、搬送速度をより遅く設定する際に、現在の搬送速度が最低搬送速度である場合に、シート材の搬送エラーを報知する報知手段を備えていることが望ましい。
【００１７】
即ち、搬送速度設定手段は、シート材の搬送速度を現在の搬送速度よりも遅く設定することができない状態であるため、報知手段は、シート材を搬送不能な状態と判断して、搬送エラーを報知する。
【００１８】
従って、このようなシート材搬送装置によれば、シート材搬送装置の異常を知らせることができるので、修理やメンテナンスの必要性を使用者やサービスセンタ等に知らせることができる。
【００１９】
ところで、請求項１〜請求項５の何れかに記載のシート材搬送装置において、搬送手段がモータの駆動により駆動される場合には、搬送速度設定手段は、モータに与える電圧または電流を一定量だけ変化させることにより、段階的に変化する搬送速度を設定することが考えられる。このとき、例えば、搬送手段が異なる素材からなるシート材（紙とプラスチックシート等）の搬送を想定する場合には、シート材の素材や各シート材の状態により搬送可能な最高搬送速度が異なるため、シート材の素材毎に異なる搬送速度を複数設定することが好ましい。
【００２０】
即ち、請求項６に記載のように、搬送手段がシート材を搬送する際の搬送速度を段階的に複数記憶する搬送速度記憶手段を備え、搬送速度設定手段は、搬送速度記憶手段に記憶された複数の搬送速度の中から、搬送手段によりシート材を搬送する際の搬送速度を選択して設定すればよい。
【００２１】
従って、このようなシート材搬送装置によれば、シート材を構成する素材が異なる場合であっても、搬送速度記憶手段に記憶された搬送速度を用いて、最適な搬送速度にてシート材を搬送することができる。
【００２２】
さらに、請求項６に記載のシート材搬送装置において、搬送速度設定手段は、請求項７に記載のように、搬送速度記憶手段に記憶されている複数の搬送速度の中から、シート材を搬送する際の搬送速度を選択する際に、予め設定された段階数だけ異なる搬送速度を選択することが望ましい。
【００２３】
このような画像形成装置によれば、状況に応じて、変更前および変更後の搬送速度の速度差を変更することができるので、最適な速度に設定するまでの時間を短縮することができる。
【００２４】
また、請求項５〜請求項７の何れかに記載のシート材搬送装置においては、請求項８に記載のように、搬送速度記憶手段に記憶される複数の搬送速度、第１および第２設定回数、そして搬送速度設定手段がシート材を搬送する際に選択可能な搬送速度の段回数のうち、少なくとも１つを設定可能な設定手段を備えていることが望ましい。
【００２５】
このようなシート材搬送装置によれば、設定手段を用いて、このシート材搬送装置の作動条件を使用者自身が設定可能な構成にすることができる。このため、搬送手段の経年変化等に対応した適切な作動条件にてシート材を良好に搬送することができる。
【００２６】
さらに、請求項１〜請求項８の何れかに記載のシート材搬送装置において、各記憶手段のうちの少なくとも１つは、請求項９に記載のように、不揮発性の記憶手段であってもよいし、請求項１０に記載のように揮発性の記憶手段であってもよい。
【００２７】
請求項９に記載のシート材搬送装置によれば、シート材搬送装置の電源が切られた場合であっても不揮発性の記憶手段に記憶された内容を保持することができるので、最適に設定された搬送動作を速やかに実行することができる。
【００２８】
また、請求項１０に記載のシート材搬送装置によれば、シート材搬送装置の電源が切られた場合には、揮発性の記憶手段を初期状態に戻すことができるので、電源が切られる前に異常等があっても、その異常の影響を排除することができる。
【００２９】
次に、請求項１１〜請求項２０に記載のシート材搬送方法は、請求項１〜請求項１０に記載のシート材搬送装置の作動を方法としての請求項にそれぞれ置き換えたものである。
従って、請求項１１〜請求項２０に記載のシート材搬送方法によれば、それぞれ請求項１〜請求項１０に記載のシート材搬送装置による効果と同様の効果が得られる。
【発明を実施するための最良の形態】
【００３０】
次に、本発明が適用されたファクシミリ装置の構成を説明する。
図１はファクシミリ装置２０１の外観を表す説明図である。このファクシミリ装置２０１は、他のファクシミリ装置から電話回線を経由して受信した画像データを記録用紙１００（本発明でいうシート材）に印刷したり、記録用紙１００に印刷された画像データを、例えばスキャナ等からなる読取部１８（図３参照）で読み込み、他のファクシミリ装置に電話回線を経由して送信したりするために用いられる装置である。
【００３１】
図１に示すように、ファクシミリ装置２０１の上面には、各種のキー群を備えたキーボード２０（本発明でいう設定手段）や、液晶ディスプレイ２１等を有するパネルインターフェイス１９が配設されている。
【００３２】
キーボード２０には、キー群として、ダイヤル入力を行うためのダイヤルキー、記録モードの選択するための記録モード選択キー、その他データのメモリ機能を選択するためのメモリキー、ファクシミリ送信をスタートするためのスタートキー、ファクシミリ送信を停止させるための停止キー等が設けられている。
【００３３】
次に、ファクシミリ装置２０１において、パネルインターフェイス１９の後方位置には、用紙スタッカ２０２が設けられている。この用紙スタッカ２０２は、記録用紙１００が斜めに堆積された状態で収納可能に構成されている。
【００３４】
また、ファクシミリ装置２０１の前方には、受信した画像や文字情報を印刷して排出された記録用紙１００を保持するための記録用紙排出トレイ２０３が設けられている。
そして、ファクシミリ装置２０１の中央上部には、原稿（その表面に既に画像が形成された用紙）の挿入部２０４が設けられている。この原稿の挿入部２０４から挿入された図示しない原稿は、ファクシミリ装置２０１の内部に取り込まれ、読取部１８により原稿上の画像が読み取られる。その後、原稿はファクシミリ装置２０１の外部に排出されて、原稿排出トレイ２０５に保持される。また、読取部１８により読み取られた画像のデータは、例えば、他のファクシミリ装置に電話回線を経由して送信されたり、記録用紙１００上に複写されたりすることとなる。
【００３５】
また、ファクシミリ装置２０１の後方側面には、このファクシミリ装置２０１とパーソナルコンピュータ（以下、単位にパソコンという）とを接続してデータの送受信を行うための、パラレルインターフェイス２４（図３参照）やＵＳＢインターフェイス２５（図３参照）が設けられている。
【００３６】
なお、パラレルインターフェイス２４は、パラレルケーブルを接続可能に構成されており、ＵＳＢインターフェイス２５は、ＵＳＢケーブルを接続可能に構成されている。
次に、ファクシミリ装置２０１の内部において、記録用紙１００を搬送する構成について図２を用いて説明する。図２は記録用紙１００の搬送に用いられる各部を概略的に示す側面図である。
【００３７】
図２に示すように、本実施例のファクシミリ装置２０１は、記録ヘッド１５と、給紙ローラ３０（本発明でいう搬送手段）と、搬送ローラ１１と、従動ローラ１０２，１０４と、排紙ローラ１０３と、拍車１０５と、検知部５（本発明でいう検知手段）と、を備えている。
【００３８】
給紙ローラ３０は、用紙スタッカ２０２に蓄積された記録用紙１００のうちの最上位に位置する記録用紙１００と常に接触するよう配置されている。そして、この給紙ローラ３０が駆動されると、給紙ローラ３０が接触している記録用紙１００は、ガイド１０９に沿って１枚ずつ記録用紙排出トレイ２０３の方向（図２においてはＺ方向）に搬送される。
【００３９】
搬送ローラ１１は、給紙ローラ３０により搬送されてきた記録用紙１００が搬送可能な位置に到達すると、記録用紙１００を搬送する方向へ駆動される。そして、搬送ローラ１１は、記録用紙１００の後端が通過するまで記録用紙１００の搬送を続ける。
【００４０】
従動ローラ１０２は、搬送ローラ１１に対向して設けられ、記録用紙１００を搬送する際には、搬送ローラ１１とともに記録用紙１００を挟持した状態で回転する。
排紙ローラ１０３は、従動ローラ１０２よりも記録用紙排出トレイ２０３側に位置する記録ヘッド１５によりもさらに記録用紙排出トレイ２０３側に位置し、記録ヘッド１５により画像が形成された記録用紙１００を記録用紙排出トレイ２０３に排出する。
【００４１】
なお、搬送ローラ１１、給紙ローラ３０、および排紙ローラ１０３は、搬送モータ１０（図３参照）により駆動される。
従動ローラ１０４は、搬送ローラ１１に対向して設けられ、記録用紙１００を搬送する際には、排紙ローラ１０３とともに記録用紙１００を挟持した状態で回転する。
【００４２】
拍車１０５は、記録ヘッド１５と排紙ローラ１０３との間に位置し、記録用紙１００の上面に当接しながら回転し、記録用紙１００を押圧しているので、記録用紙１００が垂直方向に変位することを防止している。
【００４３】
なお、拍車１０５および従動ローラ１０４は、これらの外周に先端が鋭角の突起（図示省略）を多数備えており、この突起の先端部分のみが記録用紙１００の記録面（記録ヘッド１５により画像形成された面）に接触するよう構成されている。この構成により、記録用紙１００の記録面とローラとの接触面積が少なくなるので、記録用紙１００に形成された画像は、汚れることなく搬送される。
【００４４】
検知部５は、移動する記録用紙１００と接触して変位するレバー５ａと、このレバー５ａの位置を検知するセンサ５ｂとを備え、記録用紙１００の先端や後端を検知する。即ち、記録用紙１００がレバー５ａに接触した状態になると、図２（の実線）に示すように、レバー５ａはセンサ５ｂにより検知可能な位置に変位する。また、記録用紙１００がレバー５ａに接触しない状態になると、図２の２点差線に示すように、レバー５ａはセンサ５ｂにより検知不能な位置に変位する。また、センサ５ｂは、レバー５ａの位置を検知し、このセンサ５ｂによる検知結果を後述するＡＳＩＣ８（Ａｐｐｌｉｃａｔｉｏｎ  Ｓｐｅｃｉｆｉｃ  Ｉｎｔｅｇｒａｔｅｄ  Ｃｉｒｃｕｉｔ）に送信する。
【００４５】
記録ヘッド１５は、搬送ローラ１１および排紙ローラ１０３の間に配置されており、記録ヘッド１５の下面において記録用紙１００の搬送方向（Ｚ方向）に列設された印字素子（図示省略）から、インクを選択的に吐出することにより記録用紙１００に画像形成を行う。
【００４６】
なお、記録ヘッド１５の下面に対向する位置には、記録ヘッド１５の下方を搬送される記録用紙１００の下面（非記録面）に当接するように、プラテン１０８が備えられている。このプラテン１０８により、記録ヘッド１５の下方における記録用紙１００と記録ヘッド１５との間隔は、良好な画像が形成できる所定の距離に安定して維持されることとなる。
【００４７】
記録ヘッド１５を用いた画像形成は、次のような動作によって行われる。
給紙ローラ３０が図２において時計方向に回転し始めることにより、記録用紙１００がファクシミリ装置２０１の用紙スタッカ２０２から１枚だけ分離されて搬送されてくると、この記録用紙１００の先端が検知部５のレバー５ａに接触し、このレバー５ａが回動することによって、記録用紙１００の位置情報が後述する制御系に送られる。そして、制御系からの指示信号に制御されながら、以下に示すように記録用紙１００の搬送や画像の記録がなされる。
【００４８】
ファクシミリ装置２０１において、搬送モータにより回転駆動される搬送ローラ１１とこの搬送ローラ１１の回転に従属して回転する従動ローラ１０２とは、記録用紙１００を挟持し、この記録用紙１００を記録ヘッド１５が配置された所定の位置まで搬送する。その後、ファクシミリ装置２０１は、記録ヘッド１５を主走査方向（図２の紙面に対して鉛直方向）に移動させつつ、記録ヘッド１５からインクを記録用紙１００に向けて選択的に吐出させ、記録用紙１００に画像を形成する。
【００４９】
また、記録用紙１００に連続した画像を形成する際には、ファクシミリ装置２０１は、搬送ローラ１１による記録用紙１００の副走査方向（Ｚ方向）の搬送動作と、記録ヘッド１５による画像形成動作とを、交互に繰り返す。ここで、画像形成動作とは、後述するＣＰＵ２やＡＳＩＣ８が記録ヘッド１５を主走査方向（記録用紙１００の記録面において、副走査方向と直交する方向）へ移動させつつ、インクを選択的に吐出させる動作を示す。
【００５０】
この際、後述するＡＳＩＣ８は、搬送ローラ１１による記録用紙１００の副走査方向への搬送量と、記録ヘッド１５の一回の主走査で記録用紙１００に形成する画像の副走査方向の幅とを一致させるために、印字素子列の長さと搬送ローラ１１の径とに基づいて、駆動源となる搬送モータ１０の駆動量を制御する。
【００５１】
次に、ファクシミリ装置２０１の制御系について図３を用いて説明する。図３は、ファクシミリ装置２０１を構成する各部の電気的な接続関係を示すブロック図である。
この制御系は、使用者によるパネルインターフェイス１９の操作や、電話回線から送られてくるデータに基づき、記録用紙１００の搬送を制御したり、受信画像の記録条件を制御したりするものである。さらに、入力される送信原稿のファックス送信指令等を受けて、原稿の読取や原稿の搬送等を制御したりするものである。
【００５２】
この制御系は、図３に示すように、ＣＰＵ２、ＲＯＭ３、ＲＡＭ４ａ（本発明でいう第２回数記憶手段）、およびＥＥＰＲＯＭ４ｂ（本発明でいう第１回数記憶手段、および搬送速度記憶手段）を中心とするマイクロコンピュータとして構成され、バス１を介してＡＳＩＣ８に接続されている。
【００５３】
また、ＡＳＩＣ８には、各種駆動回路、読取部１８、ＮＣＵ２６（Ｎｅｔｗｏｒｋ ｃｏｎｔｒｏｌ Ｕｎｉｔ）、送受信したデータを記録できる磁気ディスク等を着脱可能に配置するためのスロット２３を備えたメモリインターフェイス２２、前述のパネルインターフェイス１９、パラレルインターフェイス２４、ＵＳＢインターフェイス２５、等が接続されている。
【００５４】
さらに、ＡＳＩＣ８には、搬送ローラ１１の回転量を検出するために搬送ローラ１１又は搬送モータ１０に設けられたロータリエンコーダ６、キャリッジ１４の移動量を検出するためのリニアエンコーダ７、前述の検知部５、等が接続されている。
【００５５】
ＲＯＭ３には、ファクシミリ装置２０１の通信制御プログラム、パネルインターフェイス１９から入力される各種機能の制御用プログラム、ファクシミリ機能である読取動作および記録動作プログラム、等が格納されている。
【００５６】
ＲＡＭ４ａは、揮発性のメモリであって、ＣＰＵ２がこれらのプログラムを実行する際に用いる各種データを記憶するために使用される。特にＲＡＭ４ａには、後述する搬送処理の際に使用されるリトライ回数ｎ（本発明でいう異常搬送回数データ）が記憶される。
【００５７】
ＥＥＰＲＯＭ４ｂは、不揮発性のメモリであって、画像を形成する際に必要な初期値等を記憶しておくために使用される。特にＥＥＰＲＯＭ４ｂには、後述する搬送処理の際に使用される連続成功回数ｋ（本発明でいう正常搬送回数データ）、リトライ回数ｎの設定値（本発明でいう第２設定回数）、搬送速度番号ｉの値、搬送速度番号ｉの値に対応した搬送速度Ｖｉの候補、連続成功回数ｋの設定値（本発明でいう第１設定回数）等が記憶される。
【００５８】
なお、ＲＡＭ４ａおよびＥＥＰＲＯＭ４ｂに記憶されるリトライ回数ｎの設定値、搬送速度Ｖｉの候補、連続成功回数ｋの設定値については、使用者等がキーボード２０の操作を行うことにより、その値をそれぞれ設定することができる（本発明でいう設定工程）。
【００５９】
また、後述する搬送処理の際には、リトライ回数ｎの設定値は「３」、搬送速度Ｖｉの候補は「Ｖ０〜Ｖ９」（Ｖ０：最高速度、Ｖ９：最低速度）の１０段階、連続成功回数ｋの設定値は「５」、搬送速度番号ｉの値の初期登録値は「５」、連続成功回数ｋの初期登録値は「０」にそれぞれ設定されているのもとして説明を行なう。
【００６０】
また、ＮＣＵ２６は、公衆回線からＭＯＤＥＭ２７により復調されて入力された通信信号をＡＳＩＣ８に送る。また、ＮＣＵ２６は、送信原稿データを外部へ送信する場合には、ＡＳＩＣ８からの指令に従い、送信原稿データをＭＯＤＥＭ２７を介して変調し、通信信号を公衆回線に出力する。
【００６１】
ＡＳＩＣ８は、ＣＰＵ２からの指令に従い、例えば搬送モータ１０に通電する相励磁信号等を生成して、これらの信号を搬送モータ１０の駆動回路９や駆動回路１２に与え、駆動回路９や駆動回路１２等を介して搬送モータ１０やキャリッジモータ１３に駆動信号を通電し、搬送モータ１０やキャリッジモータ１３の回転、停止等の制御を行っている。
【００６２】
駆動回路９は、搬送ローラ１１に接続された搬送モータ１０を駆動させるためのものであり、この駆動回路９が搬送ローラ１１を駆動することにより、記録用紙１００が副走査方向に搬送される。
【００６３】
駆動回路１２は、記録ヘッド１５が搭載されたキャリッジ１４を主走査作方向に移動させるキャリッジモータ１３を駆動するためのものであり、この駆動回路１２がキャリッジモータ１３を駆動することにより、キャリッジ１４が主走査方向に移動し、これに伴い、キャリッジ１４に搭載された記録ヘッド１５が主走査方向に移動する。
【００６４】
駆動回路１６は、記録ヘッド１５を、記録用紙１００に対向した方向に近接するように上下動作させたり、所定のタイミングでインク液を記録用紙１００に吐出させたりするためのものであり、ＣＰＵ２から出力される駆動制御手順に基づきＡＳＩＣ８において生成され出力された信号を受けて、記録ヘッド１５を駆動制御する。
【００６５】
ところで、給紙ローラ３０、搬送ローラ１１、排紙ローラ１０３により記録用紙１００を搬送するときの搬送速度Ｖｉは、記録ヘッド１５による画像形成動作の速度が許す限り、速く設定することが望ましいが、その搬送速度Ｖｉが速すぎる場合には、各ローラと記録用紙１００との接触面においてスリップ等が発生し、各ローラにより正常に記録用紙１００を搬送できないことがあり得る。このため、本実施形態においては、給紙ローラ３０により記録用紙１００の搬送が正常に行なわれたか否かを判定することにより、記録用紙１００を搬送する各ローラの回転速度を最適な速度にする処理を行っている。
【００６６】
この処理について、図４を用いて説明する。図４はＣＰＵ２が行なう搬送処理を示すフローチャートである。なお、搬送処理におけるＳ１３０の処理は、本発明でいう搬送工程に該当し、Ｓ１４０の処理は本発明でいう検知工程に該当する。さらに、搬送処理におけるＳ１４０〜Ｓ１８０の処理、Ｓ２１０〜Ｓ２４０の処理、およびＳ２６０の処理は、本発明でいう搬送速度設定手段および搬送速度設定工程に該当する。また、搬送処理におけるＳ２５０の処理は、本発明でいう報知手段および報知工程に該当する。
【００６７】
この搬送処理は、ＡＳＩＣ８が記録要求を受けると、まずＳ１１０にて、ＥＥＰＲＯＭ４ｂに記憶された搬送速度番号ｉおよび連続成功回数ｋの値が取得される。
次にＳ１２０では、リトライ回数ｎの値が０に設定される。
【００６８】
次にＳ１３０では、現在の搬送速度番号ｉに対応した搬送速度ＶｉがＥＥＰＲＯＭ４ｂから取得され、その取得した搬送速度Ｖｉにて給紙ローラ３０が駆動されることにより、用紙スタッカ２０２に蓄積された記録用紙１００の搬送が開始される。
【００６９】
次に、Ｓ１４０で、給紙が成功したか否かが判定される。即ち、この処理では、搬送モータ１０の駆動量に基づいて、検知部５により記録用紙１００が検知されるべきタイミングが算出され、このタイミングにおいて、記録用紙１００が検知されれば給紙成功と判定され、記録用紙１００が検知されなければ給紙失敗と判定される。Ｓ１４０にて、給紙が成功したと判定されればＳ１５０が実行され、給紙が失敗したと判定されればＳ２１０が実行される。
【００７０】
Ｓ１４０にて、給紙が成功したと判定されると、Ｓ１５０では、連続成功回数ｋの値が１だけインクリメントされる。
次にＳ１６０では、搬送速度番号ｉの値が０（即ち最高搬送速度）であるか否かが判定される。搬送速度番号ｉの値が０であると判定されればＳ１９０が実行され、搬送速度番号ｉの値が０ではないと判定されればＳ１７０が実行される。
【００７１】
そして、Ｓ１７０では、連続成功回数ｋの値が５（設定値）であるか否かが判定される。連続成功回数ｋの値が５ではないと判定されればＳ１９０がすぐに実行され、連続成功回数ｋの値が５であると判定されればＳ１８０にて、搬送速度番号ｉの値が１だけディクリメントされてからＳ１９０が実行される。即ち、Ｓ１８０の処理では、搬送速度Ｖｉを一段階速くする処理が行われる。
【００７２】
次に、Ｓ１９０では、搬送ローラ１１、排紙ローラ１０３、記録ヘッド１５等が駆動されて画像形成動作が行われることにより、記録用紙１００に画像が形成される。
そしてＳ２００では、次の記録用紙１００に記録される画像データがあるか否かが判定され、画像データがあると判定された場合にはＳ１２０が実行され、画像データがないと判定された場合には、この搬送処理は終了される。
【００７３】
一方、Ｓ１４０にて給紙が失敗したと判定されれば、上述した通りＳ２１０が実行されるが、このＳ２１０では、連続成功回数ｋが０に設定される。
そして、Ｓ２２０では、リトライ回数ｎの値が１だけインクリメントされる。
【００７４】
次にＳ２３０では、リトライ回数ｎの値が３（設定値）であるか否かが判定される。リトライ回数ｎの値が３であると判定されればＳ２４０が実行され、リトライ回数ｎの値が３ではないと判定されれば再びＳ１３０が実行される。
【００７５】
Ｓ２３０で、リトライ回数ｎの値が３であると判定されると、Ｓ２４０では、搬送速度番号ｉの値が９（最低速度）であるか否かが判定される。搬送速度番号ｉの値が９ではないと判定されれば、Ｓ２６０にてｉの値が１だけインクリメントされ、再びＳ１２０が実行される。
【００７６】
一方、搬送速度番号ｉの値が９であると判定されれば、現在の状態はこれ以上搬送速度Ｖｉを遅くできない状態であるので、Ｓ２５０にて液晶ディスプレイ２１にエラーが報知され、搬送処理が終了される。
【００７７】
以上のように詳述したファクシミリ装置２０１において、ＣＰＵ２は、検知部５の検知結果に基づいて、記録用紙１００が正常に搬送されたか否かを判断し、記録用紙１００が正常に搬送されたと判断すると、現在の搬送速度Ｖｉに基づいて、搬送速度Ｖｉが最高速度に至るまでは段階的に搬送速度Ｖｉを速く設定する。
【００７８】
従って、このようなファクシミリ装置２０１によれば、ある搬送速度Ｖｉによる記録用紙１００の搬送が正常に行なわれた場合に、給紙ローラ３０により搬送可能な最高速度に搬送速度Ｖｉを即座に設定するものと比較して、記録用紙１００の搬送の失敗回数を減らすことができる。
【００７９】
また、記録用紙１００の搬送が正常に行なわれる度に、記録用紙１００の搬送速度Ｖｉが段階的に高速になるよう設定されるので、可能な限り記録用紙１００は高速で搬送され得る。
【００８０】
また、このファクシミリ装置２０１は、給紙ローラ３０により記録用紙１００が連続して正常に搬送された回数を表す連続成功回数ｋの値をＥＥＰＲＯＭ４ｂに記憶する。また、ＣＰＵ２は、記録用紙１００が正常に搬送されたか否かの判断結果に基づいて、ＥＥＰＲＯＭ４ｂに記憶された連続成功回数ｋの値を更新する。そして、ＣＰＵ２は、連続成功回数ｋの値が、予め設定された連続成功回数ｋの設定値と同じ回数になった場合に、給紙ローラ３０により次の記録用紙１００を搬送する際の搬送速度Ｖｉを、現在の搬送速度Ｖｉよりも速く設定する。
【００８１】
従って、記録用紙１００の搬送が偶然成功した場合であっても、連続成功回数ｋの設定値と同じ回数だけ連続して搬送に成功しない限りは、搬送速度Ｖｉを速くしないようにするので、より確実に記録用紙１００を搬送することができる。
【００８２】
さらに、ＣＰＵ２は、記録用紙１００が正常に搬送されていないと判断すると、現在の搬送速度Ｖｉに基づいて、搬送速度Ｖｉが最低搬送速度に至るまでは段階的に搬送速度Ｖｉを遅く設定する。
【００８３】
従って、記録用紙１００が異常な搬送をされた場合に、記録用紙１００を搬送可能な速度まで給紙ローラ３０による搬送速度Ｖｉは遅くされるので、記録用紙１００は確実に搬送され得る。
【００８４】
また、給紙ローラ３０により記録用紙１００が連続して異常な搬送をされた回数を表すリトライ回数ｎの設定値はＥＥＰＲＯＭ４ｂに記憶される。そして、ＣＰＵ２は、記録用紙１００が正常に搬送されたか否かの判断結果に基づいて、ＲＡＭ４ａに記憶されたリトライ回数ｎの値を更新し、リトライ回数ｎの値が、予め設定されたリトライ回数ｎの設定値と同じ回数になった場合に、給紙ローラ３０により記録用紙１００を搬送する際の搬送速度Ｖｉを、現在の搬送速度Ｖｉより遅く設定する。
【００８５】
従って、記録用紙１００の搬送に偶然失敗が生じた場合であっても、リトライ回数ｎの設定値だけ連続して搬送が失敗しない限りは搬送速度Ｖｉは遅くされないので、記録用紙１００はより高速で搬送され得る。
【００８６】
また、このファクシミリ装置２０１においては、給紙ローラ３０が記録用紙１００を搬送する際の搬送速度Ｖｉは段階的に複数備えられており、これらの搬送速度ＶｉはＥＥＰＲＯＭ４ｂに記憶され得る。そして、ＣＰＵ２は、現在の搬送速度Ｖｉが最低搬送速度であると判定し、且つ搬送速度Ｖｉをより遅く設定しようとする場合に、記録用紙１００の搬送エラーを報知する。
【００８７】
従って、ファクシミリ装置２０１の異常を知らせることができるので、修理やメンテナンスの必要性を使用者やサービスセンタに知らせることができる。
また、ＣＰＵ２は、搬送速度記憶手段に記憶された複数の搬送速度Ｖｉの中から、給紙ローラ３０により記録用紙１００を搬送する際の搬送速度Ｖｉを選択して設定する。
【００８８】
従って、このようなファクシミリ装置２０１によれば、記録用紙１００を構成する素材が異なる場合であっても、搬送速度記憶手段に記憶された搬送速度Ｖｉを用いて、最適な搬送速度Ｖｉにて記録用紙１００は搬送され得る。
【００８９】
また、このファクシミリ装置２０１は、ＥＥＰＲＯＭ４ｂに記憶される複数の搬送速度Ｖｉ、第１および第２回数記憶手段に記憶される第１および第２設定回数、そしてＣＰＵ２が記録用紙１００を搬送する際に選択可能な搬送速度Ｖｉの段階数のうち、少なくとも１つを設定可能なキーボード２０を備えている。
【００９０】
従って、このキーボード２０を用いて、このファクシミリ装置２０１の作動条件を使用者自身が設定可能な構成にすることができる。このため、給紙ローラ３０の経年変化等に対応した適切な作動条件にて記録用紙１００は良好に搬送され得る。
【００９１】
さらに、搬送速度番号ｉの値、および連続成功回数ｋの値は、不揮発性の記憶手段であるＥＥＰＲＯＭ４ｂに記憶されるよう構成されている。
従って、ファクシミリ装置２０１の電源が切られた場合であってもＥＥＰＲＯＭ４ｂに記憶された内容は保持されるので、再びファクシミリ装置２０１に電源が投入されたとき、ファクシミリ装置２０１は最適な搬送動作を速やかに実行することができる。
【００９２】
なお、本発明の実施の形態は、上記の実施形態に何ら限定されることはなく、本発明の技術的範囲に属する限り種々の形態を採りうる。
例えば、本実施形態ではシート材として、記録用紙１００（普通紙、感熱紙、光沢紙等）を使用するよう構成したが、ＯＨＰシート等を使用してもよい。
【００９３】
また、本実施形態においては、記録用紙１００が用紙スタッカ２０２から記録用紙排出トレイ２０３まで搬送される際に用いられる搬送装置に本発明を適用したが、例えば、原稿が原稿の挿入部２０４から原稿排出トレイ２０５まで搬送される際に用いられる搬送装置に本発明を適用してもよい。
【００９４】
さらに、本実施形態においては、ＣＰＵ２は、給紙ローラ３０が正常に記録用紙１００を搬送したか否かの判定結果に基づいて、各ローラの回転速度を最適化する処理を行ったが、例えば、搬送ローラ１１や排紙ローラ１０３が正常に記録用紙１００を搬送したか否かの判定結果に基づいて各ローラの回転速度を最適化する処理を行ってもよい。
【００９５】
また、ＣＰＵ２は、搬送処理の際に、ＥＥＰＲＯＭ４ｂに搬送速度番号ｉおよび連続成功回数ｋの値を記憶するよう構成したが、ＲＡＭ４ａに記憶するよう構成してもよい。この場合には、搬送速度番号ｉおよび連続成功回数ｋの値は、ファクシミリ装置２０１の電源を入れ直す際にリセットされ、既定値（例えば、中間搬送速度番号ｉは５、連続成功回数ｋは０）に戻るため、例えばエラーが発生した場合等に、そのエラー状態が保存されることを防止することができる。このため、エラーの影響を排除することができる。
【００９６】
また、本実施形態における搬送処理を実行する際の初期搬送速度Ｖｉは、中間搬送速度であるＶ５としたが、任意の搬送速度Ｖｉであってもよい。即ち、この初期搬送速度Ｖｉは、例えば、最高搬送速度Ｖ０であってもよいし、最低搬送速度Ｖ９であってもよい。ただし、シート材として光沢紙やＯＨＰシート等の傷が付き易い素材からなるものを使用する場合には、中間搬送速度Ｖｉ（例えば、Ｖ４〜Ｖ６程度）であることが好ましい。このようにするのは、あまりにも速い搬送速度（例えば、最高搬送速度Ｖ０）で搬送すると、正常に搬送できなかった場合に、シート材に傷がつき易くなってしまい、あまりにも遅い搬送速度（例えば、最低搬送速度Ｖ９）で搬送すると、搬送速度が速くなるまでに時間が掛かるためである。従って、このようにすれば、傷が付き易いシート材を使用する場合であっても、このシート材を良好に搬送することができる。また、ファクシミリ装置２０１を量産した際の搬送性能のばらつきを保障するためにも、初期搬送速度Ｖｉは、中間搬送速度Ｖｉ（例えば、Ｖ４〜Ｖ６程度）に設定されているとよい。
【００９７】
さらに、シート材の素材（種類）により搬送可能な速度が異なるため、搬送するシート材の素材により初期搬送速度Ｖｉの設定を変えることも考えられる。具体的には、例えば、ＥＥＰＲＯＭ４ｂに予め、記録用紙１００用の初期搬送速度番号ｉ（例えば、６）およびＯＨＰシート用の初期搬送速度番号ｉ（例えば、４）を記憶しておき、使用者がキーボード２０を操作することにより、搬送するシート材の素材（即ち、何れの初期搬送速度番号ｉを選択して搬送処理を実行するか）を選択・変更するようにすればよい。このようにすれば、より早く適切な搬送速度を設定することができる。
【００９８】
また、搬送処理の際にＣＰＵ２により参照される搬送速度Ｖｉ等が記憶されたテーブルは、予めＥＥＰＲＯＭ４ｂに記憶されているものとして説明したが、このテーブルは、ファクシミリ装置２０１の待機時等に、キーボード２０の操作により書き替え可能に構成されていてもよい。このようにすれば、搬送速度Ｖｉ等の設定を使用者の使用状態に応じた設定にすることができる。
【００９９】
さらに、本実施形態においてＣＰＵ２は、ＥＥＰＲＯＭ４ｂに記憶された速度候補のうち、１段階だけ異なる速度を選択するよう構成したが、この構成に限らず、予め設定された複数段階だけ異なる搬送速度Ｖｉを選択するよう構成してもよい。このようにすれば、ファクシミリ装置２０１がおかれた状況に応じて、変更前および変更後における搬送速度Ｖｉの変化率を変更することができるので、最適な速度に設定するまでの時間を短縮することができる。
【０１００】
また、記録用紙１００の搬送に失敗した場合には、再度同じ記録用紙１００を搬送し直すよう構成したが、特にこの構成に限らず、搬送に失敗した記録用紙１００を排除するようにしてもよい。
【０１０１】
さらに、搬送処理のＳ２５０の処理においては、液晶ディスプレイ２１にエラーの表示（報知）を行うよう構成したが、この際に、電話回線を通じてサービスセンタ等の施設にエラーを報知するよう構成してもよい。
【０１０２】
また、搬送処理では、Ｓ１７０にて連続成功回数が設定値に到達したか否かを判定するよう構成したが、特にこのように構成する必要はなく、例えば、直近１０回における搬送成功回数を記憶するようにし、この成功頻度（確率）が所定の値を超えるか否かを判定するよう構成してもよい。
【０１０３】
このようにしても上記実施例と同様の効果が得られる。
【図面の簡単な説明】
【０１０４】
【図１】ファクシミリ装置の外観を表す説明図である。
【図２】記録用紙の搬送に用いられる各部を概略的に示す側面図である。
【図３】ファクシミリ装置を構成する各部の電気的な接続関係を示すブロック図である。
【図４】搬送処理を示すフローチャートである。
【符号の説明】
【０１０５】
１…バス、２…ＣＰＵ、３…ＲＯＭ、４ａ…ＲＡＭ、４ｂ…ＥＥＰＲＯＭ、５…検知部、５ａ…レバー、５ｂ…センサ、６…ロータリエンコーダ、７…リニアエンコーダ、８…ＡＳＩＣ、９…駆動回路、１０…搬送モータ、１１…搬送ローラ、１２…駆動回路、１３…キャリッジモータ、１４…キャリッジ、１５…記録ヘッド、１６…駆動回路、１８…読取部、１９…パネルインターフェイス、２０…キーボード、２１…液晶ディスプレイ、２２…メモリインターフェイス、２３…スロット、２４…パラレルインターフェイス、２５…ＵＳＢインターフェイス、２６…ＮＣＵ、２７…ＭＯＤＥＭ、３０…給紙ローラ、１００…記録用紙、１０２…従動ローラ、１０３…排紙ローラ、１０４…従動ローラ、１０５…拍車、１０８…プラテン、１０９…ガイド、２０１…ファクシミリ装置、２０２…用紙スタッカ、２０３…記録用紙排出トレイ、２０４…原稿の挿入部、２０５…原稿排出トレイ。
【図１】
2005324455.tif 000003
【図２】
2005324455.tif 000004
【図３】
2005324455.tif 000005
【図４】
2005324455.tif 000006